(57)【特許請求の範囲】
【請求項１】
機台と、原稿押さえカバーと、原稿押さえカバーを機台に取り付けて上下開閉可能に構成するヒンジ機構と、を備える画像読取装置であって、
前記ヒンジ機構には、
機台に取り付けられた支持部材と、
原稿押さえカバーに固設されるカム体と、
該カム体を支持部材に回動自在に支持するヒンジピンと、
支持部材に形成された長孔の範囲内で移動自在とされる可動ピンと、
可動ピンとヒンジピンとの間に介装されて該可動ピンがカム体を押圧するように付勢させる弾性部材と、
を備える共に、
カム体を可動ピンが押圧するカム面には、原稿押さえカバーを閉じた状態から開いた状態にする際に可動ピンが移動する方向に沿って連続して形成される第一カム面および第二カム面があって、
前記第一カム面の形状を、原稿押さえカバーの自重により原稿押さえカバーがヒンジピン回りで原稿押さえカバーの閉鎖方向に受ける下方回動モーメントよりも、弾性部材の付勢力により原稿押さえカバーがヒンジピン回りで原稿押さえカバーの開放方向に受ける上方回動モーメントの方が小さくなるようにすると共に、原稿押さえカバーの開放される方向に沿って、上方回動モーメントと下方回動モーメントとの差が徐々に小さくなる形状とし、
前記第二カム面の形状を、前記上方回動モーメントと前記下方回動モーメントとが等しくなる形状とした、
ことを特徴とする画像読取装置。
【請求項２】
前記弾性部材が、引っ張りばねにより構成されることを特徴とする請求項１に記載の画像読取装置。
【請求項３】
前記第一カム面の形状は、前記原稿押さえカバーおよび前記カム体が閉じた状態において、側面視で略垂直方向に延設され、上端部が下端部より僅かに前記可動ピン側寄りになっており、可動ピンが第一カム面を押圧した状態でカム体を閉じた状態から開いていくと、可動ピンの押圧部分が僅かに前記ヒンジピン側に移動するような形状となっており、
前記第二カム面の形状は、原稿押さえカバーおよびカム体が閉じた状態で、全体的に側面視略水平方向に延設されており、可動ピン側寄りの部分が、ヒンジピン側に行くに従って下方に湾曲するような形状となっており、可動ピンが第二カム面に押圧した状態では、カム体が開くに従って、可動ピンの押圧部分がヒンジピン側に移動するような形状に設定されている、
ことを特徴とする請求項１又は請求項２に記載の画像読取装置。
【発明の詳細な説明】
【０００１】
【発明の属する技術分野】
本発明は、例えば、機台に設けられた読取部に原稿を静止状に載置して該静止原稿を読み取る画像読取装置における、該読取部に載置する原稿を押さえるための原稿押さえカバーであって、機台に開閉可能に取り付けられた原稿押さえカバーに関する。
【０００２】
【従来の技術】
従来から、読取部に本などの原稿を静止状に載置して該静止原稿を読み取る画像読取装置、所謂フラットベッドタイプの画像読取装置においては、該読取部に載置した原稿を読取面に押圧する原稿押さえカバーが、その一辺を支点として開閉するように設けられている。
このような原稿押さえカバーには、一般的に、原稿押さえカバーの自重に抗して作用する弾性部材等により構成された開閉手段を設けて、オペレータが開閉作業を行う際に、原稿押さえカバーの操作荷重を軽くして作業が行い易くなるように構成している。
前記の開閉手段としては、例えば、読取部の機台に取り付けた機台側支持部材と、原稿押さえカバーに固設したカバー側支持部材とを枢結し、該機台側支持部材とカバー側支持部材との間に付勢杆を介装して、該付勢杆の死点越えにより、押さえカバーが閉じている場合には閉じる方向へ付勢し、該押さえカバーが開いている場合は開く方向へ付勢する機構が知られている。
【０００３】
【発明が解決しようとする課題】
しかし、近年の原稿押さえカバーには、画像読取装置へ自動的に連続して原稿給送するための自動給紙装置（ＡＤＦ装置）や、原稿供給トレイ及び原稿排出トレイ等の重量物が搭載されているため、該原稿押さえカバーの重量がかなり大きくなっている。
この重量物である原稿押さえカバーを開方向へ付勢するために大きな付勢力を有した付勢杆を用いると、原稿押さえカバーが急激に全開位置まで開いてしまうという問題がある。このように、重量化した原稿押さえカバーが手軽に安定して開閉できるように前記開閉手段における付勢杆の設定を行うことは、困難であった。
【０００４】
【課題を解決するための手段】
本発明は、原稿押さえカバーの開閉機構における以上のような課題を解決すべく、以下のような手段を用いるものである。
機台と、原稿押さえカバーと、原稿押さえカバーを機台に取り付けて上下開閉可能に構成するヒンジ機構と、を備える画像読取装置であって、
前記ヒンジ機構には、
機台に取り付けられた支持部材と、
原稿押さえカバーに固設されるカム体と、
該カム体を支持部材に回動自在に支持するヒンジピンと、
支持部材に形成された長孔の範囲内で移動自在とされる可動ピンと、
可動ピンとヒンジピンとの間に介装されて該可動ピンがカム体を押圧するように付勢させる弾性部材と、
を備える共に、
カム体を可動ピンが押圧するカム面には、原稿押さえカバーを閉じた状態から開いた状態にする際に可動ピンが移動する方向に沿って連続して形成される第一カム面および第二カム面があって、
前記第一カム面の形状を、原稿押さえカバーの自重により原稿押さえカバーがヒンジピン回りで原稿押さえカバーの閉鎖方向に受ける下方回動モーメントよりも、弾性部材の付勢力により原稿押さえカバーがヒンジピン回りで原稿押さえカバーの開放方向に受ける上方回動モーメントの方が小さくなるようにすると共に、原稿押さえカバーの開放される方向に沿って、上方回動モーメントと下方回動モーメントとの差が徐々に小さくなる形状とし、
前記第二カム面の形状を、前記上方回動モーメントと前記下方回動モーメントとが等しくなる形状とした、ものである。
【０００５】
また、前記弾性部材を、引っ張りばねにより構成する。
【０００６】
また、前記第一カム面の形状は、前記原稿押さえカバーおよび前記カム体が閉じた状態において、側面視で略垂直方向に延設され、上端部が下端部より僅かに前記可動ピン側寄りになっており、可動ピンが第一カム面を押圧した状態でカム体を閉じた状態から開いていくと、可動ピンの押圧部分が僅かに前記ヒンジピン側に移動するような形状となっており、
前記第二カム面の形状は、原稿押さえカバーおよびカム体が閉じた状態で、全体的に側面視略水平方向に延設されており、可動ピン側寄りの部分が、ヒンジピン側に行くに従って下方に湾曲するような形状となっており、可動ピンが第二カム面に押圧した状態では、カム体が開くに従って、可動ピンの押圧部分がヒンジピン側に移動するような形状に設定されている。
【０００７】
【発明の実施の形態】
本発明の実施の形態を、添付の図面より説明する。図１は自動給紙装置を搭載する本発明の原稿押さえカバーを備えた画像記録装置の斜視図、図２は原稿押さえカバーが具備するヒンジ機構を示す平面図、図３は同じく機台に取り付けられた状態のヒンジ機構であって原稿押さえカバーを閉じた状態を示す側面図、図４は同じく静止原稿載置面上に厚手の原稿を載置した状態を示す側面図、図５は原稿押さえカバーを角度Ａだけ開いた状態にあるヒンジ機構を示す側面図、図６は原稿押さえカバーを角度Ｂだけ開いた状態にあるヒンジ機構を示す側面図、図７は原稿押さえカバーを角度Ｃだけ開いた状態にあるヒンジ機構を示す側面図、図８は原稿押さえカバーの開度と上方回動モーメント及び下方回動モーメントとの関係を示す図である。
【０００８】
まず、本発明の原稿押さえカバーの適用例として、静止原稿の画像読取部を上部に配置する画像記録装置について、図１により説明する。画像記録装置の機台としては、画像読取部を内蔵する読取ケース１と画像記録装置を内蔵する記録ケース２とを上下に配設している。該読取ケース１の上面には、本等の原稿を静止状に載置する透明状の静止原稿載置面４が配設されている。
【０００９】
読取ケース１の上方には原稿押さえカバー３が配置され、該原稿押さえカバー３の一辺がヒンジ機構６・６を介して読取ケース１に取り付けられている。
そして、該原稿押さえカバー３は、ヒンジ機構６・６を介して取り付けられたその一辺を中心として開閉可能に構成されており、該原稿押さえカバー３にて、静止原稿載置面４上に載置された原稿を上方より押さえるものとしている。
また、原稿押さえカバー３の一側面には、原稿を静止原稿載置面４へ自動的に連続して原稿給送するための自動給紙装置（ＡＤＦ装置）５が一体的に付設され、該原稿押さえカバー３の上面には図示しない原稿供給トレイ及び原稿排出トレイ等が搭載されている。
【００１０】
次に、原稿押さえカバー３を機台へ取り付けるとともに、開閉可能に構成しているヒンジ機構６について説明する。図２、図３において、ヒンジ機構６は、機台（本実施例では、読取ケース１）に取り付けられる支持部材である摺動支持部材１１と、原稿押さえカバー３に固設されるとともに、該摺動支持部材１１に回動自在に支持されるカム体１２と、該カム体１２を押圧する可動ピン１４と、該可動ピン１４と摺動支持部材１１との間に介装されるとともに、可動ピン１４をカム体１２方向へ付勢する弾性部材である引っ張りばね１５等とにより構成されている。
【００１１】
機台の読取ケース１における静止原稿載置面４の側方には、カバー支持部１６が形成されており、本実施例の場合は、該カバー支持部１６は、ヒンジ機構６が取り付けられている２箇所に形成されている。
該カバー支持部１６には、側面視略Ｌ字上に形成した摺動支持部材１１の垂直部１１ａを、該カバー支持部１６の上方から上下摺動自在に嵌入しており、該垂直部１１ａには、規制ピン１７を固設している。
また、カバー支持部１６の一側面には長孔１６ａが上下方向に形成されており、該長孔１６ａに規制ピン１７を貫通させて、摺動支持部材１１がカバー支持部１６内を上下摺動した際には、該規制ピン１７が長孔１６ａの下端及び上端に係止して、摺動支持部材１１の上下摺動範囲が長孔１６ａの範囲内となるように規制している。
【００１２】
摺動支持部材１１の水平部１１ｂにおける静止原稿載置面４側とは反対側の端部には、ヒンジピン１３が取り付けられ、該ヒンジピン１３によりカム体１２が回動自在に枢支されている。
該水平部１１ｂにおけるヒンジピン１３よりも静止原稿載置面４側には可動ピン１４が配設され、該可動ピン１４は水平部１１ｂの両側面に形成された長孔１１ｃ・１１ｃを貫通して、該長孔１１ｃの範囲内を水平方向に移動自在に構成されている。
【００１３】
また、可動ピン１４と、カム体１２に取り付けられたヒンジピン１３との間には引っ張りばね１５が介装されて、該可動ピン１４がヒンジピン１３の方向へ付勢されている。
そして、該可動ピン１４は、引っ張りばね１５の付勢力により前記カム体１２のカム面１２ａ・１２ａ’を押圧するものとなっている。
引っ張りばね１５は、水平方向に延設されているので、可動ピン１４の押圧により、カム体１２は、図３で見て右向き水平方向に付勢され、即ち、カム体１２が上方回動して原稿押さえカバー３が開く向きに付勢されている。
なお、前記可動ピン１４は、カム面１２ａ・１２ａ’に当接する外周部が回転可能に構成されたローラ部材としてもよい。
【００１４】
カム面１２ａ’の形状は、図３の如く原稿押さえカバー３が（即ちカム体１２が）閉じた状態において、側面視で略垂直方向に延設され、上端部が下端部より僅かに静止原稿載置面４側寄りになっており、可動ピン１４が押圧した状態でカム体１２を閉じた状態から開いていくと、可動ピン１４の押圧部分が僅かに反静止原稿載置面４側に移動するような形状となっている。
一方、カム面１２ａの形状は、図３の如く原稿押さえカバー３（カム体１２）が閉じた状態で、全体的に側面視略水平方向に延設されており、静止原稿載置面４寄りの部分が、反静止原稿載置面４側に行くに従って下方に湾曲するような形状となっており、可動ピン１４がカム面１２ａに押圧した状態では、カム体１２が開くに従って、可動ピン１４の押圧部分が反静止原稿載置面４側に移動するような形状に設定されている。
【００１５】
このように構成したヒンジ機構６により原稿押さえカバー３が機台に開閉可能に取り付けられており、図３においては、静止原稿載置面４に原稿が載置されていないか、又は、極めて薄手の原稿が載置されている場合に、該原稿押さえカバー３を閉じた状態を示している。
【００１６】
これに対して、図４には、本等の厚手の原稿８が静止原稿載置面４上に載置された状態を示しており、この場合には、原稿８の厚みに応じて摺動支持部材１１がカバー支持部１６内にて上方へ摺動する。
これにより原稿押さえカバー３に固設されたカム体１２の位置が高くなって、原稿押さえカバー３を水平にすることができるので、原稿８を静止原稿載置面４へ均一、且つ、確実に押さえつけることができる。
【００１７】
次に、原稿押さえカバー３の開度に伴う可動ピン１４のカム体１２への付勢の様態について、図３（図４）、及び、図５乃至図８により説明する。
引っ張りばね１５は、図３に示す原稿押さえカバー３が閉じた状態、即ち、開度０の状態において、その一端を連結している可動ピン１４がカム面１２ａ’を押圧して、図３（図４）で見て長孔１４の左端に位置しており、寸法Ｌ１の長さに伸長されている。
引っ張りばね１５は長く伸長する程大きな付勢力を得ることができるが、該引っ張りばね１５によりカム体１２へ付与される上下方向への回動力は、引っ張りばね１５の付勢力の大きさと、可動ピン１４のカム面１２ａ・１２ａ’への当接角度により決定される該付勢力の垂直方向成分の大きさとなる。
この付勢力の垂直方向成分を上方回動モーメント３２として図８に示しており、原稿押さえカバー３が開度０の状態にある場合の上方回動モーメント３２の値は、モーメント３２ａである。
尚、図８において、上方回動モーメント３２の値は、上方への回動力を正の方向としている。
【００１８】
そして、図３（図４）の状態から、図５の、原稿押さえカバー３が僅かに開いた状態（開度Ａ）までは、カム面１２ａ’が、その形状により略垂直上方に移動するため、該カム面１２ａ’に押圧する可動ピン１４は、図３に示す状態から図５に示す状態までは僅かに反静止原稿載置面４側へ移動するのみである。開度Ａの状態における引っ張りばね１５は、寸法Ｌ１よりも僅かに短い寸法Ｌ２の長さに伸長されており、また、可動ピン１４のカム面１２ａ’への当接角度は開度０の場合とほぼ同じであって、この場合にカム体１２へ付与される上方回動モーメント３２は、前記モーメント３２ａより僅かに小さな値を示すモーメント３２ｂとなる。
【００１９】
一方、カム体１２を一体的に取り付けた原稿押さえカバー３は、該原稿押さえカバー３自身の重量により、該カム体１２へ下方回動方向（即ち、閉じる方向）のモーメントを付与している。この下方回動方向のモーメントを下方回動モーメント３１として図８に示しており、原稿押さえカバー３が開度０の閉じた状態にある場合には、該原稿押さえカバー３の重心の水平方向の位置が回動支点であるヒンジピン１３から最も遠く離れた位置にあるので、該モーメント３１の値は最大のモーメント３１ａとなり、開度Ａの状態では、原稿押さえカバー３の重心の水平方向の位置がヒンジピン１３側へ寄るので前記モーメント３１ａよりも小さな値を示しているモーメント３１ｂとなる。
即ち、下方回動モーメント３１の大きさは、原稿押さえカバー３の重量と、該原稿押さえカバー３の重心のヒンジピン１３からの水平方向の位置とによって決定されるが、原稿押さえカバー３の重量は一定であるので、該原稿押さえカバー３が閉じる方向に回動して、重心がヒンジピン１３から水平方向において離れた位置にいく程、下方回動モーメント３１の値は大きくなり、該原稿押さえカバー３が開く方向に回動して、該重心が水平方向においてヒンジピン１３側へ近づく程、下方回動モーメント３１の値は小さくなる。
【００２０】
そして、図３（図４）の原稿押さえカバー３が閉じた状態から図５の開度Ａの状態となるまでは、図８に示すように、上方回動モーメント３２が下方回動モーメント３１よりも若干小さくなるようにカム面１２ａ’の形状を構成している。
これにより、カム体１２には、下方回動モーメント３１の値から上方回動モーメント３２の値を差し引いた分だけの、僅かな大きさの下方回動方向への力がかかることになる。
即ち、下方回動モーメント３１を上方回動モーメント３２により相殺して、原稿押さえカバー３を開けるための操作荷重を軽減するとともに、若干の下方回動モーメント３１を残すことで、手を離せば自動的に原稿押さえカバー３が緩やかに閉じ、その後閉じた状態を安定して保持するように構成しているのである。
【００２１】
また、図５図示の開度Ａの時には、下方回動モーメント３１の大きさはモーメント３１ｂとなり、上方回動モーメント３２の大きさはモーメント３２ｂとなるが、該モーメント３１ｂとモーメント３２ｂとが同じ値となるようにカム面１２ａ（１２ａ’）の形状を構成している。
これにより、開度Ａの状態においては、原稿押さえカバー３を持つ手を離しても、カム体１２において上方回動方向の力と下方回動方向の力とが釣合って、該原稿押さえカバー３が静止することとなる。
【００２２】
開度Ａの状態から、更に原稿押さえカバー３を開いて、可動ピン１４がカム面１２ａを押圧するようになると、前記のカム面１２ａの形状により、開度を大きくするに連れて、可動ピン１４が長孔１１ｃ内を反静止原稿載置面４側に移動する。このため、引っ張りばね１５の伸長量も短くなる。
更に、開度が大きくなるに連れて、原稿押さえカバー３の重心は、水平方向においてヒンジピン１３側に移動する。
【００２３】
図６には、原稿押さえカバー３が、角度Ａよりも大きい角度Ｂだけ開いた状態にあるヒンジ機構を示しており、引っ張りばね１５は前記の寸法Ｌ２より短い寸法Ｌ３の長さに伸長された状態となっている。
この時、原稿押さえカバー３の重心は、前記の如く、水平方向において、かなりヒンジピン１３側に移動しているため、カム体１２にかかる下方回動モーメント３１の値は前記モーメント３１ｂよりもかなり小さいモーメント３１ｃを示しており、下方回動方向の力が弱まっている。
【００２４】
この場合に、引っ張りばね１５の付勢力とカム面１２ａの形状とにより決定される上方回動モーメント３２の大きさが、前記の原稿押さえカバー３が開度Ａの状態である場合の如く大きな力のままであると、下方回動モーメント３１の値は小さくなっているので、該原稿押さえカバー３は開く方に付勢された状態となって、カバーを持つ手を離せば原稿押さえカバー３が強く開いてしまい、また、原稿押さえカバー３を閉じるのに操作荷重を要することになってしまう。
【００２５】
しかし、本実施例のヒンジ機構６では、前記の如く、図６のように、引っ張りばね１５の伸長量が寸法Ｌ２よりも短い寸法Ｌ３となって、カム体１２にかかる水平方向のヒンジピン１３側への付勢力が小さくなるとともに、カム面１２ａが、引っ張りばね１５の付勢力の大きさに対する上方成分の大きさが開度Ａの場合よりも小さくなる角度で可動ピン１４に当接しているため、上方回動モーメント３２の値は弱まって、開度Ｂの状態においてはモーメント３２ｃの値を示している。
そして、この開度Ｂの状態においても、下方回動モーメント３１のモーメント３１ｃと上方回動モーメント３２のモーメント３２ｃとが同じ値となるようにカム面１２ａの形状を構成しているので、上方回動方向の力と下方回動方向の力とが釣合い、原稿押さえカバー３の操作荷重が軽くなって、手を離してもその位置で静止できるようになっている。
【００２６】
さらに、図７には、原稿押さえカバー３が、角度Ｂよりも大きい角度Ｃだけ開いて該原稿押さえカバー３が全開している状態にあるヒンジ機構を示しており、引っ張りばね１５は前記の寸法Ｌ３よりさらに短い寸法Ｌ４の長さに伸長された状態となっている。
この時、原稿押さえカバー３の重心は、開度Ｂの状態よりも、水平方向において、さらにヒンジピン１３側へ移動しているので、カム体１２にかかる下方回動モーメント３１の値はモーメント３１ｃよりも小さなモーメント３１ｄとなっている。
また、ヒンジ機構６においては、前記の如く、引っ張りばね１５の伸長量が、寸法Ｌ３よりも短い寸法Ｌ４となって、カム体１２にかかる水平方向のヒンジピン１３側への付勢力が小さくなるとともに、カム面１２ａが、引っ張りばね１５の付勢力の大きさに対する上方成分の大きさが開度Ｂの場合よりもさらに小さくなる角度で可動ピン１４に当接しているため、上方回動モーメント３２の値は弱まって、開度Ｃの状態においてはモーメント３２ｄの値を示している。
【００２７】
そして、この開度Ｃの状態においても、下方回動モーメント３１のモーメント３１ｄと上方回動モーメント３２のモーメント３２ｄとが同じ値となるようにカム面１２ａの形状を構成しているので、上方回動方向の力と下方回動方向の力とが釣合い、原稿押さえカバー３の操作荷重が軽くなって、手を離してもその位置で静止できることとなっている。
【００２８】
前述の如く、開度Ａ、開度Ｂ、及び、開度Ｃにおいては下方回動モーメント３１と上方回動モーメント３２とが同じ値となるように構成して、下方回動方向の力と上方排動方向の力とが釣り合うように構成しているが、図８に示すように、開度Ａから開度Ｃの範囲内では、常に下方回動モーメント３１と上方回動モーメント３２とが同じ値となるように、前記カム面１２ａの形状を構成しているのである。
【００２９】
このように、原稿押さえカバー３の開度が僅かな開度Ａよりも小さい場合には、カム体１２にかかる下方回動方向の力が上方回動方向の力よりも若干大きくなるようにカム面１２ａ’を形成して、該原稿押さえカバー３が自動的に緩やかに閉じるように構成するとともに、原稿押さえカバー３の開度が前記開度Ａから全開状態である角度Ｃまでの範囲では、ヒンジ機構６のカム体１２にかかる上方回動方向の力と下方回動方向の力とが釣り合うようにカム面１２ａを形成して、原稿押さえカバー３が静止するように構成している。
【００３０】
これにより、オペレータが原稿押さえカバー３の開閉作業を行う際には、原稿押さえカバー３の操作力を低減して、重さを感じることなく手軽に、例えば、片手でもスムーズに開閉することができるとともに、原稿押さえカバー３を適宜角度にて開いた状態で静止させることができるので、原稿読取作業等の作業性を向上させることができる。
さらに、該原稿押さえカバー３を閉じた場合には、閉じた状態を安定して保持することができる。
【００３１】
また、本原稿押さえカバー３では、前記実施例のヒンジ機構６におけるカム面１２ａ・１２ａ’の形状以外にも該カム面１２ａ・１２ａ’を形成することができ、該カム面１２ａ・１２ａ’の形状を変更するだけで、全ての開度で該原稿押さえカバー３にかかる上方回動方向の力を変化させることができる。
即ち、カム面１２ａ・１２ａ’の形状を変更することにより引っ張りばね１５の伸長度合いを変化させ、任意の開度において、原稿押さえカバー３の重量による下方回動方向の力に抗する上方回動方向の力である、引っ張りばね１５の付勢力の大きさを設定することができるのである。
【００３２】
これにより、原稿押さえカバー３の重量がどのような大きさであっても、その重量に応じた形状にカム面１２ａ・１２ａ’を形成することで、任意の開度で原稿押さえカバー３を静止させることができ、オペレータの開閉作業を手軽でスムーズなものとすることができる。
さらに、カム面１２ａ・１２ａ’を様々な形状に変更することで、原稿押さえカバー３を少しの角度だけ開くと、あとは任意の位置まで自動的に開くように構成したり、逆に、原稿押さえカバー３をある角度まで閉じると、全閉位置まで自動的に閉じるように構成したり、開く動作、閉じる動作、及び、静止動作を任意の開度で行うことができるように構成したりすることができる。
このように、カム面１２ａ・１２ａ’の形状を変更するだけの簡単な構成の変更で、任意の開度における原稿押さえカバー３の動作状態を自由に設定することができるので、原稿押さえカバー３の重量やオペレータの作業形態等に幅広く対応して、開閉作業を手軽でスムーズなものとすることができるのである。
【００３３】
また、原稿押さえカバー３の重量による下方回動方向の力に抗する手段を引っ張りばねにより構成することで、ヒンジ機構６を簡易な構成とすることができ、コストダウンを図ることができるとともに、故障の発生度合いを減少させることができる。
【００３４】
また、ヒンジ機構６は上下摺動自在に機台へ取り付けられているので、本等の厚手の原稿が静止原稿載置面４上に載置された場合でも、該原稿を静止原稿載置面４へ均一、且つ、確実に押さえつけることができ、原稿内容の読み取りを正確に行うことができる。
【００３５】
【発明の効果】
本発明は、次のような効果を奏する。例えば、原稿押さえカバーを適宜角度にて開いた状態で静止させて、オペレータが原稿押さえカバーの開閉作業を行う際に該原稿押さえカバーの重さを感じることなく手軽に、片手でもスムーズに開閉できるように構成して原稿読取作業等の作業性を向上させたり、原稿押さえカバーを閉じた場合には、該原稿押さえカバーに下方回動方向の力を付与して、閉じた状態を安定して保持したりすることができた。
また、原稿押さえカバーの重量がどのような大きさであっても、その重量に応じた形状にカム体を形成することで、任意の開度で原稿押さえカバーを静止させることができ、オペレータの開閉作業を手軽でスムーズなものとすることができた。
さらに、カム体を様々な形状に変化させるといった簡単な構成の変更で、任意の開度における原稿押さえカバーの動作状態を自由に設定することができ、原稿押さえカバーの重量やオペレータの作業形態等に幅広く対応して、開閉作業を手軽でスムーズなものとすることができることとなった。
【００３６】
更に、請求項２の如く、前記弾性部材を引っ張りばねにより構成したので、ヒンジ機構を簡易な構成とすることができ、コストダウンを図ることができるとともに、故障の発生度合いを減少させることができた。
【図面の簡単な説明】
【図１】自動給紙装置を搭載する本発明の原稿押さえカバーを備えた画像記録装置の斜視図である。
【図２】原稿押さえカバーが具備するヒンジ機構を示す平面図である。
【図３】同じく機台に取り付けられた状態のヒンジ機構であって原稿押さえカバーを閉じた状態を示す側面図である。
【図４】同じく静止原稿載置面上に厚手の原稿を載置した状態を示す側面図である。
【図５】原稿押さえカバーを角度Ａだけ開いた状態にあるヒンジ機構を示す側面図である。
【図６】原稿押さえカバーを角度Ｂだけ開いた状態にあるヒンジ機構を示す側面図である。
【図７】原稿押さえカバーを角度Ｃだけ開いた状態にあるヒンジ機構を示す側面図である。
【図８】原稿押さえカバーの開度と上方回動モーメント及び下方回動モーメントとの関係を示す図である。
【符号の説明】
１  （機台を構成する）読取ケース
３  原稿押さえカバー
４  静止原稿載置面
６  ヒンジ機構
１１  摺動支持部材（支持部材）
１２  カム体
１２ａ  カム面
１３  ヒンジピン
１４  可動ピン
１５  引っ張りばね（弾性部材）
１６  カバー支持部
【図１】
0003948108.tif 000002
【図２】
0003948108.tif 000003
【図３】
0003948108.tif 000004
【図４】
0003948108.tif 000005
【図５】
0003948108.tif 000006
【図６】
0003948108.tif 000007
【図７】
0003948108.tif 000008
【図８】
0003948108.tif 000009